(57)【要約】【課題】粘着テープを片手で簡単に折り返すことができ、折り返し使用、未使用も段取り変えなしで行え、折返し部の長さも適宜変更することができるテープカッターの開発。【解決手段】テープを引っ張り出した時ローラー２は、上に持ち上げられ架台にはこの時点で接触しない。そして、テープカット時はカッターと板バネに下向きの力が働くことにより板バネを広げる。そして、引っ張り出されるテープの長さが少し長くなり、テープがカットされた瞬間にローラー２が自重で下がり接点３を作りテープのずれを防止し、それから板バネが元の角度に戻るのでテープをカットする時広がった角度によって得られたテープの長さは、行き場を失い緩やかな曲線を作る。この曲線が、板バネを縮めた時にローラー１にぶつかり折り返しを作りやすい方にテープを曲げる。そして、折り返し形成後にワニグチを強制的に広げることと板バネの反発力で素早く接点を離し折り返しを作る。【選択図】  図１
2013035680.tif 000002
【特許請求の範囲】
【請求項１】
折り返しを使った使用と折り返しを使わない使用が段取り変えなしで選択できる。
【請求項２】
折り返し部の長さが適宜変更可能（板バネの交換による）
【請求項３】
粘着テープとテープ架台に接点を設けるためにアクティブローラを使用。
【請求項４】
粘着テープにループを形成後素早く粘着による接点を離すために、板バネの反発力とワニグチに取り付けられたカッターを強制的に可動させていること。
【請求項５】
板バネに粘着テープの接点を使って折り返しを作る時、テープを保持しやすく、折り返しが作られた後にテープの接点が離れやすい板厚を採用している。
【請求項６】
２〜１２のテープのたるみを作るのに、板バネのしなやかさとアクティブローラを使用。（板バネとアクティブローラの動きの組み合わせによる）
【請求項７】
２本のローラーシャフトがワンタッチで脱着可能なためテープ交換や部品交換が容易。
【発明の詳細な説明】
【技術分野】
【０００１】
本発明は、粘着テープのカット面の処理に関するものである。
【背景技術】
【０００２】
一般に梱包、出荷、貼り付け等の作業を行う時、通常粘着テープは粘着テープロールから引き出してカットするものであり、開梱しやすくしたり、剥がし易くしようと考え、粘着テープをカットするのであれば端面を折り返し、つまみを作る事が一般に行われているのが現状である。この小さな動作も意外に面倒でたくさん行うのであれば、かなりの時間と手間を要してしまう。また、片手で折り返しを作ることができないため品物等を押さえながらのテープ貼り作業ができない等の改善課題が残ったままである。
【先行技術文献】
【特許文献】
【０００３】
【特許文献１】特開  ２０１１−０１６６６５
【特許文献２】特開  ２００９−２９２６４９
【特許文献３】実登  ３０８７０１８
【特許文献４】実登  ３０６００１９
【発明の概要】
【発明が解決しようとする課題】
【０００４】
粘着テープ貼り付け時、テープの端を折り返して貼る事により剥がし易くなり、開梱作業等の時間の短縮につながったり、今までの様に粘着面に指を付けて引っ張り出す事がないので、指紋が粘着面についたり、ゴム手袋や手袋装着時等の様に通常よりも手の感覚が変わった時等に、素手の時と変わらずスムーズに折り返しを作る事ができるなどの多くのメリットが生まれ、作業効率を上げる事ができる。
【課題を解決するための手段】
【０００５】
テープカッター台のテープ引っ張り部に板バネを固定し、その板バネにはテープをカットするためのカッターが取り付けてあり、そのカッターはテープをカットした後粘着テープがカッターに貼り付いているのを意図的に動かす事によりカッターと粘着テープの接点を切り離し、板バネの可動によって作られた折り返し部をスムーズに板バネに作られた粘着テープの接点から切り離すことを目的として付けられており（折り返し部形成後、板バネの反発力を利用して板バネと粘着テープの接点を切り離しているがカッターと粘着テープの接点を切り離さないと板バネの反発力が板バネに貼り付いている粘着テープの粘着力に勝てない事があり、これを防ぐためにカッター部の粘着テープの接点をカッターを可動する事により強制的に切り離し、粘着テープの粘着による抵抗を減らしている。）、折り返し部を作るために二つのローラーを備え、一つのローラーは径の違うローラーがシャフトに幾重にも組み込まれ、上下はもとより円周方向にもアクティブしシャフトの長手方向にスライドする事ができる様になっており、テープを引き出すときには、このローラーは引き出したテープの力によって上の方に持ち上がるためテープの引き出し時には、粘着テープの粘着部がテープ架台に引っ付くのを防ぎ、テープカット後はローラーの自重によりテープ粘着面をテープ架台にすばやく押し付け、折り返し作業時テープが逃げないようにテープ架台に粘着テープの接点を作る役割をもち、二つ目のローラーはカット後のテープを板バネによってテープ架台に押した時、テープのたるみをループ状にして折り返し、その折り返しの粘着面同士をくっ付ける役割をはたすものである。また、この二つのローラーは、固定シャフトに取り付けられそれぞれ回転することができシャフトの直径に対してローラーの内径が少し大きくなっていることにより、この発明を使用して粘着テープに折り返しを作る時に起こりえる抵抗（板バネとローラーの接触、粘着テープの粘着力、粘着テープとローラーの摩擦など）を軽減できる様になっている。
【発明の効果】
【０００６】
実際に使用してみたが、片手で簡単に折り返し部を作ることができ、折り返し無しで使いたい場合も段取り変え無しで使う事ができ、ゴム手袋や手袋装着時でも素手の時と変わらずに使え仕事の効率が格段に上がった。
【図面の簡単な説明】
【０００７】
【図１】図１は、テープカッター全体図を示す。
【図２】図２は、A方向から見たものであり、そこにはローラー１とローラー２がある。ローラー１は、テープカット後に折り返しを作るために板バネをテープ架台側に可動させた時テープに作られたたるみをローラー１により上に押し上げループ部を作るのに使用される（図７）。このローラーは、固定シャフトに取り付けられておりシャフトに対して内径が大きくしてある。確実に折り返し部を作り粘着面同士をくっつけるために板バネと粘着テープの接点２を回転中心４を持つ板バネによってローラー１にわざと押し付けるため、ローラー１と板バネの接触抵抗を減らすためにシャフトの直径に対して内径の大きなローラーが採用されローラーとシャフトにガタツキを持たせる事によりローラー１と板バネの接触によって発生した力を逃がす事ができる様になっているローラーである。ローラー２は、テープカット後に接点３に粘着テープをローラーの自重でテープ架台に押し付け粘着テープの粘着部をテープ架台に接触させ接点を作る目的で使用される。また、このローラーは径の違うローラーがシャフトに幾重にも組み込まれることによりローラー自体の重さを増すことができ、粘着テープを自重で押し付けやすくしている。又、径の違うローラーが幾重にも組み込まれた構造により上下はもとより円周方向にもアクティブすることができ、シャフトの長手方向にスライドする事もできる様になっており、テープを引き出すときには、このローラーは引き出したテープの力によって上の方に持ち上がるためテープの引き出し時には、粘着テープの粘着部がテープ架台に引っ付くのを防ぎ、テープカット後はローラーの自重によりテープ粘着面をテープ架台にすばやく押し付け、折り返し部形成時テープが逃げないようにテープ架台に粘着テープの接点を作る役割をもったローラーである。このように、この二つのローラーはそれぞれ独特の役割を持った特長のあるローラーである。
【図３】図３は、ローラー２の断面であり、本発明品のこのローラーは一番外のローラーの中に３つの径の違うローラーが内側に入っている（このローラーの場合、合計４個のローラーで構成されている）。
【図４】図４は、ローラー１とローラー２のシャフト保持部であり粘着テープ交換時テープを送り込みやすくするため脱着式になっており、シャフト取り付け時に取り付け易いようにV字の誘い込みのためのガイド溝が設けてある。また、ローラー交換やシャフト交換等のメンテ性も高めている。
【図５】図５は、板バネを示しこの板バネの可動域を変える事によりテープの折り返し長さを適宜変える事ができる様になっている（この場合、可動域の違う板バネに交換するものとする）。この可動域には、板バネが伸びた状態で指が入る適度な隙間が存在するためそこに指を入れテープを引き出してカットすれば折り返しを作らない使い方もできる特徴を持っている。ここで、板バネの板厚が重要であまり薄いと２の接点が板バネを押した時離れてしまい、厚すぎると離れにくくなってしまうため１mm前後の板厚を有し２の接点が折り返しを作る時（板バネを縮めた時）、保持されやすく又、折り返し部形成後板バネの反発力で素早く２の接点を離すことができる板厚になっているのも特徴である。本発明品に使われている板バネの材質は、繰り返し回数が多くてもへたりにくく、強度があるように金属を採用している。
【図６】図６は、板バネ先端に取り付けられたカッター部である。このカッターの取り付け位置は板バネ先端のテープの接点２よりカッターのテープの接点１が下になるように取り付けられておりこの位置関係により板バネを縮めた時、折り返し部を作りやすいようになっている（図８）。１〜２、２〜１２がR形状になる事により粘着テープが板バネを縮めた時、折り返しができやすい方に曲がる事を補助してくれるためである。又、この可動する板バネにさらに可動するワニグチが取り付けられており、このワニグチにカッターが付いているのも特徴である。このワニグチ部を親指で板バネごとテープ架台に押し付け粘着テープに折り返し部が形成された後に押してカッターと粘着テープの接点１を強制的に離すことにより粘着テープと板バネの接点２が離れやすくなる（１の接点を強制的に離すことにより、残りの２の接点を板バネの反発力で離しやすくしている）。
【図７】図７は、ローラー１に板バネを押し付けた時に折り返しができる状態を示したものである。２の軌跡が、円を描くため１２の位置は２より下にあり１２の位置が３より上にあることで２〜１２のテープのたるみを折り返しができる方向に導きやすくしている。板バネの先端部の長さに違いがあり、その先端１２に軽く粘着テープがひっついていて板バネを押した時、たるんだテープを上の方へ曲がりやすくしテープが下に折れ込むことを防止する。
【図８】図８は、テープをカットした後テープが板バネとカッターについた状態であり１〜２、２〜１２はそれぞれ半径の違った曲線になっており、この２〜１２の曲線により板バネを縮めた時テープのたるみが曲線方向に働くので折り返しを作りやすくしている。X−Y座標にこの接点をプロットするとY方向の位置関係は接点２＞接点１２＞接点３となるのも重要なポイントである。
【図９】図９は、側面図であり板バネをテープ架台に押し付け、折り返し形成後に板バネを離してテープに折り返しができた状態を示す。
【図１０】図１０は、テープカット直前を示す。テープをカットする時、テープをカッターに押し当て下の方に力を加える。テープを引き出しカットする前は３の接点は引き出されたテープの力でローラー２を上の方に押し上げているため、まだテープ架台に接触していない。
【図１１】図１１は、テープをカットした瞬間を示す。このテープをカットする時には、カッターにテープを下の方に押し付けてカットする。この下向きに力を加えることによりカッター部と接点２が下に押し下げられる。カッターと板バネは一体となっているため板バネとカッター部の両方に下向きの力が加わることになる。この板バネに加わった力により板バネの可動域の角度はθ＋θ′となる（テープをカットし始めてからカットし終わるまで）。可動域の角度がθ＋θ′となることで２〜１２の距離が角度θの時より長くなる。
【図１２】図１２は、カットした後を示す。この可動域の角度θ＋θ′は、カットし終わった瞬間に板バネの力で元の角度θに戻る。又、カットした瞬間にローラー２が自重で下に下がり接点３を作る。１〜２の距離は変わらないので板バネの可動域の増加により長くなった２〜１２の距離のために少し長く引き出されたテープは、行き場を失い２〜１２にたるみとなり緩やかな曲線を形成する。
【発明を実施するための形態】
【０００８】
図１に折り返し機能付きテープカッターが装着された状態を示す（テープカット後の状態）。
【実施例】
【０００９】
図９にワニグチ部を親指でテープ架台に押し付け２の部分がローラー１に接触したと同時にワニグチ部を離した所（１、２が離れ折り返しができる）。
【産業上の利用可能性】
【００１０】
折り返しのないテープを剥がす事や折り返しを作ることをする場合、素手の場合と、ゴム手袋や手袋等の保護具を装着した場合を比べると時間と手間が格段に違ってくる。又、折り返しがあることによりテープの終端部がわかりやすく開梱しやすくなる。カッターやハサミなどの道具がなく困った時、折り返し部から剥がしていけば道具がなくても開梱できるなどのメリットが多く、折り返しを作ることによるデメリットが見当たらない。仮に、折り返しを作ることによるデメリットがある場合には、折り返しなしの使い方もできるので全く問題ない。この様に、本発明品は、折り返しありと折り返しなしの選択が段取り変えなしで行え、手袋などの保護具を装着していても作業性を損なわず、片手で折り返しを容易に作る事ができるため多方面での活躍が期待できる。
【符号の説明】
【００１１】
１    カッターと粘着テープの接点
２    板バネと粘着テープの接点
３    テープ架台と粘着テープの接点
４    板バネの旋回（可動）半径の中心
５    ローラー１、２のシャフト
６    ローラー挟み込みプレート
７    ローラー１のずれ防止カラー
８    ローラー１
９    ローラー２
１０  ワニグチ
１１  カッター
【図１】
2013035680.tif 000003
【図２】
2013035680.tif 000004
【図３】
2013035680.tif 000005
【図４】
2013035680.tif 000006
【図５】
2013035680.tif 000007
【図６】
2013035680.tif 000008
【図７】
2013035680.tif 000009
【図８】
2013035680.tif 000010
【図９】
2013035680.tif 000011
【図１０】
2013035680.tif 000012
【図１１】
2013035680.tif 000013
【図１２】
2013035680.tif 000014